(57)【要約】【課題】洗剤液の衣類への浸透性に優れ、少量の水量と洗剤にて洗剤能力を最大限引き出し効率的な浸け置き効果を得るようにする。【解決手段】衣類を投入できるチャック２付きの密閉可能な袋体１と、この袋体１内を減圧するため第１の弁装置３を介して空気を抜く吸引装置５と、前記袋体１内に洗剤液を注入するため第２の弁装置６を介して注入可能とした洗剤液の貯液ボトル８及び液体ポンプ９とを具備した構成とする。【選択図】図１
2008073307.tif 000002
【特許請求の範囲】
【請求項１】
衣類を投入できるチャック付きの密閉可能な袋体と、この袋体内を減圧するため第１の弁装置を介して空気を抜く減圧手段と、前記袋体内に洗剤液を注入するため第２の弁装置を介して注入可能とした洗剤液注入手段とを具備したことを特徴とする浸け置き袋。
【請求項２】
袋体は、立設可能な容器状としたことを特徴とする請求項１記載の浸け置き袋。
【請求項３】
袋体の表面には、温度表示手段を施したことを特徴とする請求項１又は２記載の浸け置き袋。
【発明の詳細な説明】
【技術分野】
【０００１】
本発明は、少ない洗剤液による浸け置きを可能とした浸け置き袋に関する。
【背景技術】
【０００２】
従来、家庭用の洗濯機おいて、例えば衣類の汚れ度合に応じて浸け置き洗いを実行可能とする運転コースを選択的に実行可能としている（例えば、特許文献１参照）。この浸け置き洗いとは、本来の洗い運転を行う前に１分の撹拌動作と、９分の停止期間を１単位として行うもので、これを各種運転コース別に単位回数が設定されるようにしている。
【０００３】
一方、旅行先で手軽に手洗いできる所謂携帯用の洗濯袋が提案されている（例えば、特許文献２参照）。この洗濯袋は、左右に分割する構成とするとともに、その中間点の複数箇所のみ連通した通路を形成する。従って、手洗い動作としては、衣類と洗剤液を投入した洗濯袋の左右を交互に押すことにより、洗剤液が通路を介して左右に移動しこの移動動作を利用して洗濯を行うようにしたものである。このものは、手洗いすることを基調としたものであるが、例えば手による押し動作を行わない場合には、衣類は浸け置き状態に維持されることが推認できる。
【特許文献１】特開平２−１０２６９４号公報
【特許文献２】特開２００４−１８８１４２号公報
【発明の開示】
【発明が解決しようとする課題】
【０００４】
しかしながら、前者の特許文献１の如き浸け置き洗いは、確かに頑固な汚れに対して有効であるが、洗濯液中に十分に浸かるように多くの水量を必要とし、これに合わせて多くの洗剤も必要とし、使用者側の経済的負担が大きい。また、一般に水だけでは衣類の繊維内部に浸透するスピードは遅く、界面活性剤が入ることで浸透速度は速まる。ところが、従来の洗濯水や洗剤の供給手段では繊維内部の空気を追い出すに長時間を要し、また洗濯水が供給されても衣類が含む空気成分が衣類を水面上に浮上させ、洗剤液の浸透は必ずしも効率的でない不利な事情を有している。
【０００５】
一方、後者の特許文献２の如き洗濯袋を利用した手洗いでは、洗剤液を左右に移動さえるために洗濯袋内に比較的多くの水と洗剤を必要とする。一方、仮に機械的な撹拌動作を行わずに浸け置き状態とした場合、多くの洗剤液を使用しながら繊維内部の空気が洗剤液の浸透性を阻害することとなり、このままでは浸け置きによる洗浄効果も特に期待できないことが予想される。
【０００６】
本発明は、上記問題点を解決するために、繊維内部に洗剤液の浸透速度を速め、少水量で効率的な浸け置き効果が期待できる浸け置き袋を提供することを目的とする。
【課題を解決するための手段】
【０００７】
上記目的を達成するために、本発明の浸け置き袋は、衣類を投入できるチャック付きの密閉可能な袋体と、この袋体内を減圧するため第１の弁装置を介して空気を抜く減圧手段と、前記袋体内に洗剤液を注入するため第２の弁装置を介して注入可能とした洗剤液注入手段とを具備したことを特徴とする。
【発明の効果】
【０００８】
上記手段によれば、内部の空気を抜くことができるため、洗剤液が繊維の内部に速やかに効率良く浸透し、適量とする洗剤量及び水量は共に少量で済み、その後の洗い動作を経て頑固な汚れなど落ち難い汚れに対して優れた洗浄効果が期待できる浸け置き袋を提供できる。
【発明を実施するための最良の形態】
【０００９】
図１〜図３は、本発明の浸け置き袋の一実施例を示したもので、図１は概略的に示す全体の構成図、図２は袋体単体の外観斜視図、図３は洗剤液タンクの外観斜視図を示している。
まず、図１に基づき全体の構成につき説明すると、１は後述するように密閉可能な袋体で、透視可能で適宜の柔軟性若しくは硬質の合成樹脂製にあって、図２に示すように底面が平坦な所定容量の容器状に形成され、本実施例では立設状態に維持でき設置可能な構成としている。この袋体１の上部には、衣類を出し入れできるスリット状の投入口１ａを左右方向に形成しており、該投入口１ａには密閉可能なチャック２が設けられ開閉可能としている。
【００１０】
このように、密閉可能な袋体１には袋体１内の減圧を図るための減圧手段と、洗剤液を注入するための洗剤液注入手段を備えている。
そのうち、前者の減圧手段の一例につき説明すると、袋体１の頂部に第１の弁装置３を連通状態に設けている。この第１の弁装置３は、例えば常閉形の弁機能を備えている。そして、この第１の弁装置３の他端には通気管４の一端が着脱可能に連結され、該通気管４の他端には吸引装置５が連結されている。この吸引装置５は、第１の弁装置３を介して袋体１内の空気を矢印Ａ方向に吸引すべく、例えば図示しないが真空ポンプとか或は家庭用の掃除機などのように吸引作用を利用できる機械器具など広く採用できる。斯くして、吸引装置５による吸気動作と、第１の弁装置３の開放動作により袋体１内の空気は吸引されて減圧可能とし、以って減圧手段を構成している。
【００１１】
一方、後者の洗剤液注入手段につき説明すると、これも袋体１の頂部に常閉形の第２の弁装置６を連通状態に設けている。そして、この第２の弁装置６の他端には通水管７の一端が着脱可能に連結され、該通水管７の他端側には洗剤液を貯留した貯液ボトル８に連通接続されている。この貯液ボトル８側の通水管７には液体ポンプ９が設けられ、貯液ボトル８内の洗剤液を矢印Ｂ方向に移送し、第２の弁装置６を経て袋体１内に注入可能としており、以って洗剤液注入手段を構成している。なお、前記第１，第２の弁装置３，６は手動式の開閉弁で十分対応できるが、勿論電磁式の開閉弁として電気的に開閉制御してもよい。
【００１２】
しかるに前記貯液ボトル８は、図３に示すように上面を開放した透視可能な筒状容器のボトル部８ａと、このボトル部８ａの上面を閉鎖するように着脱可能に被着された蓋体８ｂとから構成され、その蓋体８ｂの中央部には前記通水管７を挿入する開口部１０、及び空気抜き孔１１を形成している。一方、透視可能とするボトル部８ａには、適正な洗剤濃度の１回分の洗剤液を生成すべく、底部側から水量と洗剤量との各目盛１２，１３を付すとともに、適正な混合比の目安となるように対応する目盛同士を線で結ぶなどして、容易に視認できるようにしている。
【００１３】
また、前記袋体１の底部寄りの表面には、内部の洗剤液の温度状態を検知し表示する温度表示手段が施してある。この温度表示手段として、温度表示シート１４が袋体１に貼着されている。この温度表示シート１４は、例えばシート状の基板の裏面には接着剤層が形成され、表面側には熱変色性顔料を用いた可逆熱変色層が形成され、例えば３段階の温度変化に対応した熱変色層を形成している。特に図示しないが一例として、「低温」、「適温」、「高温」の３段階の変色温度区分で発消色する可逆熱変色層とし、「低温」及びそれ以下の常態では全体に濃紫色としておく。そして、各所定温度区分に達したとき、当該部位の可逆熱変色層が消色して該温度状態を表示する。この場合、同色の濃紫色であるが不変色のインクで「低温」、「適温」、「高温」の文字印刷をしておくと、対応する温度区分に達しない常態では視認できない表示不可の状態に維持されるが、各所定温度に達すると該当する可逆熱変色層が消色して、該当部位の文字が浮かび出るように表示され、視認することができる。その他、色の濃淡を含む変色のみにて温度状態を色別するようにすることも容易に可能である。
【００１４】
次に、上記構成の浸け置き袋の作用について説明する。
まず、準備として袋体１内に収容する衣類Ｃに見合った洗剤液を生成する。貯液ボトル８では、必要な水量（目盛１２）若しくは洗剤量（目盛１３）のいずれかが分れば、１回分の適正な洗剤液が生成可能である。このようにして、適正な水量と洗剤量による洗剤液を生成し、貯液ボトル８の蓋体８ｂを被着し、その開口部１０に液体ポンプ９を備えた給水管７を挿入し、他端を第２の弁装置６に接続した形態に維持しておく。なお、袋体１内には衣類Ｃが収容され、投入口１ａをチャック２にて液密に封鎖した密閉状態に保たれている。
【００１５】
このように準備ができた状態から、袋体１内の空気を抜き減圧する。すなわち、真空ポンプなどによる吸引装置５を動作し、また第１の弁装置３を開放動作し、一方第２の弁装置６は閉鎖状態のまま維持される。この結果、袋体１のみの空気が通気管４を介して矢印Ａ方向に抜かれ、吸引装置５に至り外部に放出される。所謂、減圧手段による減圧動作が所定時間行われ、袋体１内が減圧され、衣類Ｃの繊維内の空気の多くが取除かれた状態となる。この減圧された状態は、吸引装置５の運転動作が停止し第１の弁装置３が再び閉鎖状態に復帰動作しても維持される。
【００１６】
上記減圧動作を行った後、続いて洗剤液注入手段が動作し袋体１内に洗剤液が注入される。すなわち、第２の弁装置６が開放動作され液体ポンプ９が駆動される。この結果、衣類Ｃの量に見合った１回分の洗剤液が貯液ボトル８から吸引され、矢印Ｂ方向に通水管７を経て袋体１内に注入される。この場合、袋体１内に注入された洗剤液は、減圧され衣類Ｃの繊維中からも空気が取除かれた状態にあるので、該空気が洗剤液の浸透性を阻害することがなく速やかに染み込む。
【００１７】
このことから、適正とする濃度の洗剤液量も洗剤液が衣類Ｃに有効に染み込む程度の少量でよいことがわかる。
そして、上記洗剤液の全て（１回分）の注入を終えたら液体ポンプ９の停止、及び第２の弁装置６を閉鎖動作し、この静止状態に保つことで、衣類Ｃには洗剤液を十分に浸透させた状態で浸け置きを開始することができる。なお、この状態では減圧手段や洗剤液注入手段は無用であるので、通気管４及び通水管７の着脱構造を利用して離脱し、吸引装置５や貯液ボトル８などを外し、図２に示すような立設状態での設置や、手軽に持ち運びできる形態としておく。
【００１８】
ところで、洗剤液として水道水を利用した場合には、浸け置きするに有効な適温区分に対し当然低温区分（又はそれ以下）となることが予測される。すなわち、本実施例では貯液ボトル８にて浸け置きに適した混合比からなる洗剤濃度を得ているが、更に洗剤に含まれている酵素の活性化を図るには水温を３０℃から４０℃程度に上げると良いことが一般的に知られている。従って、温湯を使用すべく風呂の残り湯や、給湯設備からの湯の利用が考えられるが、このような温湯を利用する以上、上記最適温度のもとに利用するのが好ましい。
【００１９】
しかして、斯かる場合には温度表示シート１４による「低温」、「適温」、「高温」の表示手段が有効に利用できる。例えば、「低温」の温度状態を表示した場合には温かい湯が入った浴槽に入れるなどして「適温」区分に達するようにしたり、逆に「高温」状態の場合には冷水（水道水）や風を当てるなど適宜の手段で温度を下げるようにすればよい。勿論、水道水による洗剤液の場合には当然「低温」区分、又はそれ以下にあることから、「適温」区分若しくは少しでも温度上昇を見込んで上記浴槽に入れて温め、洗剤の持つ洗浄能力を引き出すようにすればよい。
【００２０】
上記実施例によれば、次のような効果を奏する。
袋体１内の空気を抜き減圧した状態で洗剤液を注入するので、洗剤液が従来のように空気に邪魔されることなく衣類などの繊維内部に速やかに効率良く浸透する。このため、洗剤が有する酵素などの活性化を図り得、繊維からの汚れ成分を遊離し、或は遊離し易い状態にするなど、浸け置くだけで洗剤が持つ洗浄力作用を最大限引き出すことができる。従って、適量の洗剤液を得るべく洗剤量及び水量は共に少量で済み経済的であるとともに、その後の強制的な撹拌動作、例えば洗濯機を使用した洗い運転を実行することで頑固な汚れなど落ち難い汚れに対して優れた洗浄効果が期待できるし、若しくはデリケートな衣類に対しては浸け置きと必要に応じ軽く濯ぐ程度の撹拌動作にて十分洗浄できる。
【００２１】
また、浸け置きによる袋体１内の洗濯液は当然少量で済むことは分るが、通常に行う洗い運転と異なり水量と洗剤量との適正な混合比が分り難い。しかるに、本実施例では洗剤液の生成と貯留を兼ねた貯液ボトル８に、水量目盛１２と洗剤量目盛１３とを適正な混合比となるように関連付けて表示したので、使用者の誰もが容易に設定でき、浸け置きに好ましい洗剤液をえるとともに、この点でも水や洗剤の節約にも有効である。
【００２２】
そして、上記のように洗剤液が少量で済むことは袋体１をコンパクトに構成できるだけでなく、洗浄作用の向上が見込める温湯を使用する上でも経済的で簡単に実行できる。例えば、給湯設備を利用する以外にも温かい湯が入った浴槽内に袋体１を浸すことで温めることも可能であるなど、他の熱器具からの伝熱作用を利用することも可能である。しかも、本実施例では袋体１の表面に、温度表示シート１４による温度表示手段を施したので、洗浄液温度を容易に知ることができ、浸け置きに最適な温度調整ができ、洗浄性能の向上とともに温湯利用の便宜性を一層高めている。
【００２３】
加えて、袋体１は立設可能な容器状としているので、残り湯を使用のために浴場など所望の使用場所への持ち運びや設置が容易で、使用者による取扱いが簡単である。また、貯液ボトル８は、1回分の洗剤液を生成貯留する構成とし、しかも水量と洗剤量の浸け置きに適正な混合比を確認しながら生成できるので、無駄な水や洗剤の使用を回避することもできるなど、種々の実用的効果が期待できる浸け置き袋を提供できる。
【００２４】
尚、本発明は上記し且つ図面に示した実施例に限定されることなく、例えば袋体は扁平に折り畳み可能にして使用時に筒状の容器とする構成にして更に使い勝手を良くすることも考えられる。また、温度表示シートは全体が単純に適温区分の温度範囲のみ熱変色する表示手段としてもよいし、他の液晶などの示温材による色変化を利用したり、数値表示タイプとするこことも可能である。その他、袋体は減圧手段や洗剤液注入手段を有する側の各弁装置部分にて着脱可能としたが、これに限らず袋体側の接続基部にて着脱可能として、所謂袋体単独に分離可能な構成としてもよいなど、実施に際して本発明の要旨を逸脱しない範囲で具体的に種々変更して実施できるものである。
【図面の簡単な説明】
【００２５】
【図１】本発明の浸け置き袋の一実施例を概略的に示す全体構成図
【図２】袋体の外観斜視図
【図３】貯液ボトルの外観斜視図
【符号の説明】
【００２６】
図面中、１は袋本体、２はチャック、３は第１の弁装置、４は通水管、５は吸引装置、６は第２の弁装置、７は通水管、８は貯液ボトル、９は液体ポンプ、及び１４は温度表示シート（温度表示手段）を示す。
【図１】
2008073307.tif 000003
【図２】
2008073307.tif 000004
【図３】
2008073307.tif 000005